(57)【特許請求の範囲】
【請求項１】
運転席を有する本体と、この本体に取り付けられる作業装置と、前記本体に設けられ、前記運転席が設置される運転席フロアと、この運転席フロアの上面に配置されるフロアマットとを備えた作業機械において、
前記運転席フロアに係合部を設け、
前記フロアマットは前記係合部と係合する穴部を有し、このフロアマットを前記係合部と前記穴部との係脱によって、前記運転席フロアに対して着脱可能に設け、
前記フロアマットは、前記本体の前側位置に設けられる操作ペダルの部位に配置されるペダル部マットと、このペダル部マットの後側位置に配置される足下部マットとから成り、
前記足下部マットの前端部を、前記ペダル部マットの後端部と前記運転席フロアの上面とによって挟持させ、前記足下部マットの後端部を、前記運転席フロアの上面から立設するフロアプレートに係着させ、
前記足下部マットの前記前端部に、前記ペダル部マットの前記後端部に形成した凹部に挿入される段差部を設け、
前記足下部マットの前記後端部が係着される前記フロアプレートの部分に傾斜部を設け、
前記足下部マットの前記後端部に、前記フロアプレートの前記傾斜部の形状に応じた傾斜面を形成し、
前記運転席フロアは、前記本体への乗り降りに際して活用されるステップを備え、前記ステップの側面に、前記係合部を設けたことを特徴とする作業機械。
【請求項２】
請求項１に記載の作業機械において、
前記ペダル部マットに、前記係合部に係合する前記穴部を設け、
前記足下部マットに前記ペダル部マットを重ね合わせるようにして、前記係合部に前記ペダル部マットの前記穴部を係合させて、前記足下部マットを前記ペダル部マットを介して固定することを特徴とする作業機械。
【請求項３】
請求項１に記載の作業機械において、
前記係合部を前記本体の左右方向に突出するように形成し、
前記足下部マットに前記係合部との干渉を回避させる開口部を形成し、
前記足下部マットを、前記ペダル部マットの前記穴部を前記係合部から離脱させた状態で、前記本体の左右方向にスライド可能となるように設けたことを特徴とする作業機械。
【請求項４】
請求項１に記載の作業機械において、
前記足下部マットは、前記ステップを覆うステップ被覆部を有することを特徴とする作業機械。
【請求項５】
請求項４に記載の作業機械において、
当該作業機械は、前記運転席フロアの下方にコントロールバルブを備えたミニショベルから成ることを特徴とする作業機械。
【発明の詳細な説明】
【技術分野】
【０００１】
本発明は、運転席フロアにフロアマットを備えたミニショベル等の作業機械に関する。
【背景技術】
【０００２】
この種の従来技術が特許文献１に開示されている。この特許文献１に開示された従来技術は、運転席が配置されたフロア面にフロアマットを備えている。このフロアマットは、フロア面の操作ペダル類が設けられた部位に配置されるペダル部マットと、このペダル部マットの後方に配置される足下部マットとによって分割構成されている。これらのペダル部マットと足下部マットは、滑り止め部材と、この滑り止め部材の固定部に締結されるボルトとによって固定され、これらの滑り止め部材とボルトとによって、ペダル部マット及び足下部マットが上方へめくれ上がることを防止している。
【先行技術文献】
【特許文献】
【０００３】
【特許文献１】特開２００６−３１６６１８号公報
【発明の概要】
【発明が解決しようとする課題】
【０００４】
特許文献１に開示された従来技術は、運転席の足下部に堆積した土砂などの清掃に際し、滑り止め部材の固定部を締結しているボルトを取り外し、滑り止め部材を取り除いた後に、足下部マットをフロア面の外部に引き出す作業が必要になる。したがって、ボルトを取り外す工具、及びその工具によるボルトの取り外し作業が必要となる。このような工具が備えられていない場合には、例えば工具の取り寄せに時間が掛かり、運転席の足下部の清掃作業の能率が低下してしまう。
【０００５】
本発明は、前述した従来技術における実情からなされたもので、その目的は、作業機械の運転席フロアに設置されるフロアマットを、風や振動による上方へのめくり上がりを生じさせないように固定具を用いないで固定でき、またそのフロアマットを容易に運転席フロアから取り外すことができるようにすることにある。
【課題を解決するための手段】
【０００６】
この目的を達成するために、本発明は、運転席を有する本体と、この本体に取り付けられる作業装置と、前記本体に設けられ、前記運転席が設置される運転席フロアと、この運転席フロアの上面に配置されるフロアマットとを備えた作業機械において、前記運転席フロアに係合部を設け、前記フロアマットは前記係合部と係合する穴部を有し、このフロアマットを前記係合部と前記穴部との係脱によって、前記運転席フロアに対して着脱可能に設け、前記フロアマットは、前記本体の前側位置に設けられる操作ペダルの部位に配置されるペダル部マットと、このペダル部マットの後側位置に配置される足下部マットとから成り、前記足下部マットの前端部を、前記ペダル部マットの後端部と前記運転席フロアの上面とによって挟持させ、前記足下部マットの後端部を、前記運転席フロアの上面から立設するフロアプレートに係着させ、前記足下部マットの前記前端部に、前記ペダル部マットの前記後端部に形成した凹部に挿入される段差部を設け、前記足下部マットの前記後端部が係着される前記フロアプレートの部分に傾斜部を設け、前記足下部マットの前記後端部に、前記フロアプレートの前記傾斜部の形状に応じた傾斜面を形成し、前記運転席フロアは、前記本体への乗り降りに際して活用されるステップを備え、前記ステップの側面に、前記係合部を設けたことを特徴としている。
【発明の効果】
【０００７】
本発明に係る作業機械は、運転席フロアに設けた係合部と、フロアマットの穴部とを係合させることにより、固定具を用いることなく、風や振動による上方へのめくり上がりを生じさせないようにフロアマットを固定でき、また、フロアマットの穴部を係合部から離脱させることにより、フロアマットを運転席フロアから取り外すことができる。したがって本発明は、従来技術に比べて容易にフロアマットを取り外して運転席の足下部に堆積した土砂などに対する清掃を行うことができ、清掃作業の能率を向上させることができる。
【図面の簡単な説明】
【０００８】
【図１】本発明に係る作業機械の一実施形態を構成するミニショベルを示す側面図である。
【図２】本実施形態に備えられる旋回体の要部を示す平面図である。
【図３】本実施形態に備えられるフロアマットの設置状態を示す斜視図である。
【図４】本実施形態に備えられるフロアマットの設置状態を示す側面図である。
【図５】図４のＡ部拡大図である。
【図６】図４のＢ部拡大図である。
【図７】本実施形態に備えられるステップを覆う足下部マットのステップ被覆部の近傍部分を示す斜視図である。
【図８】図７のＣ矢視図である。
【図９】本実施形態に備えられるフロアマットの分解斜視図である。
【図１０】本実施形態に備えられる係合部の設置状態を示す斜視図である。
【図１１】本実施形態に備えられる係合部の挿通を許容させる足下部マットの開口部付近を示す斜視図である。
【図１２】本実施形態に備えられる係合部に取り付けられるペダル部マットの取り付け部付近を示す斜視図である。
【図１３】本実施形態に備えられる足下部マットの取り外し時の状態を示す斜視図である。
【発明を実施するための形態】
【０００９】
以下、本発明に係る作業機械の実施の形態を図面に基づいて説明する。
【００１０】
図１〜３に示すように、本発明に係る作業機械の一実施形態は、例えば後方超小旋回型の小型作業機であるミニショベルから成っている。このミニショベルは、走行体１と、この走行体１上に配置され、本体を形成する旋回体２と、この旋回体２に取り付けられ、土砂の掘削作業等を行う作業装置４とを備えている。
【００１１】
また、このミニショベルは、旋回体２上に設けた運転席フロア５と、この運転席フロア５に設けた運転席６とを備えている。運転席フロア５の下方には、走行体１、旋回体２、及び作業装置４を作動させる圧油の流れを制御するコントロールバルブ７を配置してある。図２〜４に示すように、運転席フロア５は、旋回体２の前側に配置される前側フロア部５ａと、後側に配置される後側フロア部５ｂと、後側フロア部５ｂの上面から立設するフロアプレート５ｃと、後述のステップ２０とを含んでいる。
【００１２】
また図１に示すように、このミニショベルは、運転席６の下方に形成され、エンジン９、油圧ポンプ等が収容されるエンジン室８と、旋回体２の後側位置に配置され、重量バランスを確保するカウンタウエイト１０とを備えている。また、運転席６の上方を覆うように配置されるキャノピ１１を備えている。
【００１３】
ミニショベルは、各種機器の設置領域が狭くて制約を受ける。これに伴って、前述のように運転席フロア５の下方にコントロールバルブ７を配置してあり、また、運転席６の下方に、エンジン９、油圧ポンプ等が収容されるエンジン室８を配置してある。
【００１４】
運転席フロア５の上面には、運転席フロア５を土砂等の汚れから保護するフロアマットを配置してあり、このフロアマットは、図３，４に示すように、旋回体２の前側位置に設けられる操作ペダル１４、操作レバー１５の部位に配置されるペダル部マット１６と、このペダル部マット１６の後側位置に配置される足下部マット１７とから成っている。
【００１５】
図４，５に示すように、足下部マット１７の前端部は、ペダル部マット１６の後端部と運転席フロア５の後側フロア部５ｂとによって挟持させ、足下部マット１７の後端部は、運転席フロア５の後側フロア部５ｂの上面から立設するフロアプレート５ｃに係着させてある。
【００１６】
この場合例えば、図５に示すように、足下部マット１７の前端部に、ペダル部マット１６の後端部に形成した凹部１６ａに挿入される段差部１７ａを設けてある。また、図６に示すように、足下部マット１７の後端部が係着されるフロアプレート５ｃの部分に傾斜部５ｃ１を設け、足下部マット１７の後端部に、フロアプレート５ｃの傾斜部５ｃ１の形状に応じた傾斜面１７ｂを設けてある。
【００１７】
本実施形態に係るミニショベルは、図７〜１０に示すように、運転席フロア５にフック状の係合部１３を設けてある。また前述のように、運転席フロア５の下方にコントロールバルブ７を配置したことから、走行体１の接地面からの運転席フロア５の高さが高くなるので本実施形態は、運転席フロア５の後側フロア部５ｂへの乗り降りに際して活用されるステップ２０を前側フロア部５ａ及び後側フロア部５ｂより低い位置に位置して運転席フロア５に備えている。このステップ２０の側面２０ａに、係合部１３を設けてある。すなわち係合部１３は、旋回体２の左右方向に突出するように形成してある。フック状に形成された係合部１３先端は、例えばフロアプレート５ｃに対向させるように位置させてある。
【００１８】
図７〜９に示すように、ペダル部マット１６は、一方の側部に、足下部マット１７方向に延設する取り付け部１６ｂを有し、この取り付け部１６ｂに、前述したフック状の係合部１３が係合する穴部１６ｃを設けてある。フロアマットを構成する足下部マット１７及びペダル部マット１６は、係合部１３と、ペダル部マット１６の取り付け部１６ｂの穴部１６ｃとの係脱によって、運転席フロア５に対して着脱可能になっている。
【００１９】
図７，９に示すように、足下部マット１７にペダル部マット１６の取り付け部１６ｂを重ね合わせるようにして、係合部１３にペダル部マット１６の取り付け部１６ｂの穴部１６ｃを係合させて、足下部マット１７をペダル部マット１６を介して固定してある。
【００２０】
また図７，９，１１に示すように、足下部マット１７は、係合部１３との干渉を回避させる開口部１７ｃと、ステップ２０を覆うステップ被覆部１７ｄとを有している。この足下部マット１７は、ペダル部マット１６の取り付け部１６ｂの穴部１６ｃを係合部１３から離脱させた状態で、旋回体２の左右方向にスライド可能となるように設けてある。
【００２１】
このように構成した本実施形態に係るミニショベルは、フロアマットを運転席フロア５上に配置する際には、操作ペダル１４及び操作レバー１５の部位に、ペダル部マット１６を配置する。この状態で係合部１３と干渉させないように開口部１７ｃに係合部１３を挿入させるようにして、ペダル部マット１６の後側に足下部マット１７を配置する。このとき、足下部マット１７の前端部に形成した段差部１７ａを、ペダル部マット１６の後端部の凹部１６ａに挿入し、足下部マット１７の後端部の傾斜面１７ｂをフロアプレート５ｃの傾斜部５ｃ１に係着させるようにして、足下部マット１７を配置する。
【００２２】
この状態で、運転席フロア５のステップ２０の側面２０ａに設けた係合部１３と、この係合部１３と係合するペダル部マット１６の取り付け部１６ｂの穴部１６ｃとを係合させる。これにより、ペダル部マット１６と足下部マット１７を、輸送時等の風や振動による上方へのめくれ上がりを生じさせないように固定することができる。
【００２３】
また、例えば運転席フロア５の後側フロア部５ｂ等の清掃のために、足下部マット１７を取り外すに際しては、図１３に示すように、ペダル部マット１６の取り付け部１６ｂの穴部１６ｃを係合部１３から離脱させて、このペダル部マット１６の取り付け部１６ｂを取り外す。この状態で、同図１３の矢印３０で示すように、足下部マット１７を旋回体２の左右方向にスライドさせて取り出す。これにより運転席フロア５の後側フロア部５ｂ等の清掃が可能となる。なお必要に応じて、足下部マット１７を取り出した後、ペダル部マット１６を取り外して、運転席フロア５の前側フロア部５ａを清掃することができる。
【００２４】
本実施形態に係るミニショベルは、ボルトなどの固定具を用いることなくフロアマットに含まれるペダル部マット１６と足下部マット１７を、風や振動による上方へのめくれ上がりを生じさせないように固定できる。また前述のように、ペダル部マット１６の取り付け部１６ｂの穴部１６ｃを係合部１３から離脱させることにより、足下部マット１７、及びペダル部マット１６を、運転席フロア５から取り外すことができる。
【００２５】
したがって本実施形態は、土砂等で汚れやすい足下部マット１７を必要に応じてペダル部マット１６も運転席フロア５から容易に取り外して、運転席６の足下の後側フロア部５ｂ等に堆積した土砂などに対する清掃を行うことができ、清掃作業の能率を向上させることができる。
【００２６】
また本実施形態は、足下部マット１７の前端部を、ペダル部マット１６の後端部と運転席フロア５の後側フロア部５ｂの上面とによって挟持させ、足下部マット１７の後端部を、運転席フロア５の上面から立設するフロアプレート５ｃに係着させたことから、旋回体２の前後方向に対して足下部マット１７を固定することができる。
【００２７】
この場合、本実施形態は、足下部マット１７の前端部に設けた段差部１７ａを、ペダル部マット１６の後端部に形成した凹部１６ａに挿入し、足下部マット１７の後端部に形成した傾斜面１７ｂをフロアプレート５ｃの傾斜部５ｃ１に係着させることにより、足下部マット１７を安定して固定することができる。
【００２８】
また本実施形態は、足下部マット１７にペダル部マット１６を重ね合わせた状態で、ペダル部マット１６に設けた穴部１６ｃを係合部１３に係合させることにより、旋回体２の左右方向に対して足下部マット１７を、ペダル部マット１６によって固定することができる。
【００２９】
また本実施形態は、足下部マット１７に係合部１３との干渉を回避させる開口部１７ｃを形成したことから、足下部マット１７を運転席フロア５から取り外すに際し、係合部１３が取り外し時の障害とならず、足下部マット１７を旋回体２の左右方向にスライドさせて取り外すことができ、この足下部マット１７の取り出しを容易に、しかも円滑に行うことができる。足下部マット１７を運転席フロア５に設置する際も同様であり、円滑に設置することができる。
【００３０】
また本実施形態は、旋回体２上の運転席フロア５に対しステップ２０を介して容易に乗り降りできるとともに、ステップ２０の側面２０ａを係合部１３の設置部位として有効に活用させることができる。また、ステップ２０の側面２０ａに係合部１３を設けたことから、係合部１３を後側フロア部５ｂの上面から突出させないようにすることができ、係合部１３が、運転席フロア５に対する乗降時の障害となることを防ぐことができる。
【００３１】
また本実施形態は、足下部マット１７のステップ被覆部１７ｄによって、運転席フロア５のステップ２０を土砂等から保護し、ステップ２０の汚れを抑えることができる。
【００３２】
また本実施形態は、運転席フロア５に対する乗り降りに際して活用されるステップ２０を備え、また、足下部マット１７がステップ被覆部１７ｄを備えているが、通常ミニショベルは、前述のように運転席フロア５が走行体１の接地面から高くなりやすい。したがって、前述のようにステップ２０等を設けた点は、当該ミニショベルを使用する際に特に有効である。
【符号の説明】
【００３３】
１    走行体
２    旋回体（本体）
４    作業装置
５    運転席フロア
５ａ  前側フロア部
５ｂ  後側フロア部
５ｃ  フロアプレート
５ｃ１  傾斜部
６    運転席
７    コントロールバルブ
１１    キャノピ
１３    係合部
１４    操作ペダル
１５    操作レバー
１６    ペダル部マット
１６ａ  凹部
１６ｂ  取り付け部
１６ｃ  穴部
１７    足下部マット
１７ａ  段差部
１７ｂ  傾斜面
１７ｃ  開口部
１７ｄ  ステップ被覆部
２０    ステップ
２０ａ  側面
【図１】
0006317706.tif 000002
【図２】
0006317706.tif 000003
【図３】
0006317706.tif 000004
【図４】
0006317706.tif 000005
【図５】
0006317706.tif 000006
【図６】
0006317706.tif 000007
【図７】
0006317706.tif 000008
【図８】
0006317706.tif 000009
【図９】
0006317706.tif 000010
【図１０】
0006317706.tif 000011
【図１１】
0006317706.tif 000012
【図１２】
0006317706.tif 000013
【図１３】
0006317706.tif 000014